(57)【要約】【課題】撮像条件の編集時において、編集された撮像条件が撮像に与える影響を操作者に直感的に提示すること。【解決手段】本実施形態に係る医用画像診断装置は、表示部と、変更部とを有する。表示部は、医用撮像の撮像条件に関する複数の撮像パラメータにそれぞれ設定された複数の値同士の関連性を示す関連図を表示する。変更部は、前記関連図における前記値に対応するポイントの移動操作、又は、前記撮像条件の変更操作に応じて、前記関連図を更新するとともに、前記移動操作前又は前記変更操作前における前記撮像条件を、前記移動操作又は前記変更操作を反映した撮像条件に変更する。【選択図】      図１
2018038807.tif 000002
【特許請求の範囲】
【請求項１】
医用撮像の撮像条件に関する複数の撮像パラメータにそれぞれ設定された複数の値同士の関連性を示す関連図を表示する表示部と、
前記関連図における前記値に対応するポイントの移動操作、又は、前記撮像条件の変更操作に応じて、前記関連図を更新するとともに、前記移動操作の前又は前記変更操作の前における前記撮像条件を、前記移動操作又は前記変更操作を反映した撮像条件に変更する変更部と、
を具備する医用画像診断装置。
【請求項２】
医用撮像の撮像条件に関する複数の撮像パラメータに関連し前記医用撮像に与える影響を示す複数の撮像指標にそれぞれ設定された複数の値同士の関連性を示す関連図を表示する表示部と、
前記関連図上における前記値に対応するポイントの移動操作、又は、前記撮像条件の変更操作に応じて、前記関連図を更新するとともに、前記移動操作の前又は前記変更操作の前における前記撮像条件を、前記移動操作又は前記変更操作を反映した撮像条件に変更する変更部と、
を具備する医用画像診断装置。
【請求項３】
前記撮像パラメータと、前記撮像パラメータの間の影響関係を示すデータとを記憶する記憶部と、
前記値と前記影響関係とに基づいて、前記関連図を生成する関連図生成部と、
をさらに具備する請求項１または２に記載の医用画像診断装置。
【請求項４】
前記表示部は、前記撮像パラメータの編集画面とともに前記関連図を表示する、
請求項１乃至３のうちいずれか一項に記載の医用画像診断装置。
【請求項５】
前記移動操作又は前記変更操作による前記撮像パラメータの変更量と、前記影響関係とに基づいて、前記関連図において、前記移動操作又は前記変更操作に連動する撮像パラメータの値を決定する決定部をさらに具備し、
前記変更部は、前記決定された値を用いて前記関連性を変更することにより、前記関連図を更新し、
前記表示部は、前記更新された関連図を表示する、
請求項３に記載の医用画像診断装置。
【請求項６】
前記変更部は、前記移動操作による前記撮像パラメータの間の影響を制限する制限指示に従って、前記関連図に表示された前記撮像パラメータに対して前記影響関係を変更し、
前記決定部は、前記変更された影響関係と前記変更量とに基づいて、前記連動する撮像パラメータの値を決定する、
請求項５に記載の医用画像診断装置。
【請求項７】
前記移動操作による前記撮像指標の変更量又は前記変更操作による前記撮像パラメータの変更量と、前記撮像パラメータの間の影響関係とに基づいて、前記関連図において、前記移動操作又は前記変更操作に連動する撮像指標の値を決定する決定部をさらに具備し、
前記変更部は、前記決定された値を用いて前記関連性を変更することにより、前記関連図を更新し、
前記表示部は、前記更新された関連図を表示する、
請求項２に記載の医用画像診断装置。
【請求項８】
前記変更部は、前記移動操作による前記撮像指標の間の影響を制限する制限指示に従って、前記関連図に表示された前記撮像指標に対して前記影響関係を変更し、
前記決定部は、前記変更された影響関係と前記変更量とに基づいて、前記連動する撮像指標の値を決定する、
請求項７に記載の医用画像診断装置。
【請求項９】
前記決定部は、操作者により指定された複数の撮像パラメータの値と前記影響関係とを用いて新たな撮像指標の値を決定する、
請求項７または８に記載の医用画像診断装置。
【請求項１０】
前記変更部は、パルスシーケンス、撮像目的、撮像部位を用いて関連付けされた複数の撮像プロトコルに共通して含まれる撮像条件を、前記変更量と前記影響関係とを反映した撮像条件に変更する、
請求項５乃至９のうちいずれか一項に記載の医用画像診断装置。
【請求項１１】
前記関連図に表示させる前記撮像パラメータの選択と、前記関連図として用いられるグラフの選択とのうち少なくとも一つに従って、前記関連図を生成する関連図生成部をさらに具備する、
請求項１に記載の医用画像診断装置。
【請求項１２】
前記関連図における前記撮像パラメータのうち少なくとも２つを、前記移動操作の対象として設定する入力部をさらに具備する、
請求項１または１１に記載の医用画像診断装置。
【請求項１３】
前記関連図における前記撮像パラメータの値を示すポイントを揃える正規化指示を入力する入力部と、をさらに具備し、
前記正規化指示に応答して、前記関連図における前記撮像パラメータのスケールを変更することにより、前記撮像パラメータの値を示すポイントの位置を揃える関連図生成部と、
をさらに具備する請求項１に記載の医用画像診断装置。
【請求項１４】
前記関連図に表示させる前記撮像指標の選択と、前記関連図として用いられるグラフの選択とのうち少なくとも一つに従って、前記関連図を生成する関連図生成部をさらに具備する、
請求項２、請求項７乃至９のうちいずれか一項に記載の医用画像診断装置。
【請求項１５】
前記関連図における前記撮像指標のうち少なくとも２つを、前記移動操作の対象として設定する入力部をさらに具備する、
請求項２、請求項７乃至９、請求項１４のうちいずれか一項に記載の医用画像診断装置。
【請求項１６】
前記関連図における前記撮像指標の値を示すポイントを揃える正規化指示を入力する入力部をさらに具備し、
前記正規化指示に応答して、前記関連図における前記撮像指標のスケールを変更することにより、前記撮像指標の値を示すポイントの位置を揃える関連図生成部と、
をさらに具備する請求項２、請求項７乃至９のうちいずれか一項に記載の医用画像診断装置。
【請求項１７】
前記移動操作に応じて、前記撮像条件に対応する模擬的な画像を生成する画像生成部をさらに具備し、
前記表示部は、前記模擬的な画像を前記関連図とともに表示する、
請求項１乃至１６のうちいずれか一項に記載の医用画像診断装置。
【請求項１８】
前記撮像指標は、アーチファクトに関する指標を有し、
前記撮像指標の値は、前記アーチファクトの程度を示す値である、
請求項２、請求項７乃至９、請求項１４乃至１６のうちいずれか一項に記載の医用画像診断装置。
【請求項１９】
前記変更部は、
前記撮像パラメータの値に関して臨床上推奨される範囲を示す調整可能範囲を前記関連図に重畳することと、前記移動操作又は前記変更操作に応じた前記撮像パラメータの値の変更において前記調整可能範囲内に前記値を制限することとのうち少なくとも一方を実行する、
請求項１、請求項１１乃至１３のいずれか一項に記載の医用画像診断装置。
【請求項２０】
前記変更部は、
前記撮像指標の値に関して臨床上推奨される範囲を示す調整可能範囲を前記関連図に重畳することと、前記移動操作又は前記変更操作に応じた前記撮像指標の値の変更において前記調整可能範囲内に前記値を制限することとのうち少なくとも一方を実行する、
請求項２、請求項７乃至９、請求項１４乃至１６、請求項１８のうちいずれか一項に記載の医用画像診断装置。
【請求項２１】
前記医用撮像における撮像部位と、シーケンスと、被検体情報と、撮像プロトコルと、前記撮像部位および撮像目的に応じた前記撮像条件を有する複数の前記撮像プロトコルを所望の順序で設定したプリセットとに応じて生成された複数の前記関連図を記憶する記憶部と、
操作者の指示により選択された前記プリセットまたは前記撮像プロトコルに基づいて、前記複数の関連図から表示対象の関連図を特定する決定部と、
をさらに具備し、
前記表示部は、前記特定された関連図を表示する、
請求項１、請求項２、請求項１１乃至１３、請求項１９のうちいずれか一項に記載の医用画像診断装置。
【発明の詳細な説明】
【技術分野】
【０００１】
本発明の実施形態は、医用画像診断装置に関する。
【背景技術】
【０００２】
従来、例えば、磁気共鳴イメージング装置における撮像条件の編集において、撮像パラメータの変更時に、関連する他の撮像パラメータの設定範囲を自動的に計算し、計算された設定範囲内に他の撮像パラメータを収めるように調整する機能がある。適宜、撮像パラメータの最適化のために、撮像条件は編集される。
【先行技術文献】
【特許文献】
【０００３】
【特許文献１】特表２００５−５０１６２４号公報
【特許文献２】特開２０１５−５８２９４号公報
【発明の概要】
【発明が解決しようとする課題】
【０００４】
目的は、撮像条件の編集時において、編集された撮像条件が撮像に与える影響を操作者に直感的に提示することにある。
【課題を解決するための手段】
【０００５】
本実施形態に係る医用画像診断装置は、表示部と、変更部とを有する。表示部は、医用撮像の撮像条件に関する複数の撮像パラメータにそれぞれ設定された複数の値同士の関連性を示す関連図を表示する。変更部は、前記関連図における前記値に対応するポイントの移動操作、又は、前記撮像条件の変更操作に応じて、前記関連図を更新するとともに、前記移動操作前又は前記変更操作前における前記撮像条件を、前記移動操作又は前記変更操作を反映した撮像条件に変更する。
【図面の簡単な説明】
【０００６】
【図１】図１は、第１の実施形態に係る磁気共鳴イメージング装置の構成の一例を示すブロック図である。
【図２】図２は、第１の実施形態に係る動作の処理手順の一例を示すフローチャートである。
【図３】図３は、第１の実施形態に係る動作の処理手順の一例を示すフローチャートである。
【図４】図４は、第１の実施形態に係り、ディスプレイに表示された編集画面と関連図との一例を示す図である。
【図５】図５は、第１の実施形態の変形例に係り、撮像パラメータＡに対して固定指示が入力された関連図の一例を示す図である。
【図６】図６は、第２の実施形態に係り、撮像指標と撮像指標の編集希望と撮像指標に関連する撮像パラメータとの一例を示す図である。
【図７】図７は、第２の実施形態に係る動作の処理手順の一例を示すフローチャートである。
【図８】図８は、第２の実施形態に係る動作の処理手順の一例を示すフローチャートである。
【図９】図９は、第２の実施形態に係り、ディスプレイに表示された編集画面と関連図との一例を示す図である。
【図１０】図１０は、第２の実施形態の変形例に係り、撮像指標である撮像時間に対して固定指示が入力された関連図の一例を示す図である。
【図１１】図１１は、第３の実施形態に係り、ディスプレイに表示された編集画面と関連図との一例を示す図である。
【図１２】図１２は、第１の応用例に関する関連図としてレーダーチャートを用いた場合において、調整可能範囲をレーダーチャートに重畳した一例を示す図である。
【図１３】図１３は、第１の応用例に関する関連図として棒グラフを用いた場合において、調整可能範囲を棒グラフに重畳した一例を示す図である。
【図１４】図１４は、第３の応用例に関する関連図として四面体を用いた場合の一例を示す図である。
【図１５】図１５は、第４の応用例に関する医用画像診断装置の構成の一例を示す図である。
【発明を実施するための形態】
【０００７】
以下、図面を参照しながら実施形態を説明する。なお、略同一の構成を有する構成要素については、同一符号を付し、重複説明は必要に応じて行うものとする。
【０００８】
（第１の実施形態）  
図１は、本実施形態に係る磁気共鳴イメージング（Ｍａｇｎｅｔｉｃ  ｒｅｓｏｎａｎｃｅ  ｉｍａｇｉｎｇ：ＭＲＩ）装置１の構成を示すブロック図である。ＭＲＩ装置１は、寝台５、天板７、架台９、静磁場電源１２、傾斜磁場電源１６、送信器１９、受信器２１、シーケンスコントローラ２３、制御装置２５、記憶装置２７、入力インタフェース装置２９、表示装置３１、処理装置３３を有する。
【０００９】
寝台５は、長手方向が静磁場磁石１１の中心軸と平行になるように設置される。寝台は、制御装置２５による制御のもとで天板７を駆動する。天板７は、長手方向及び上下方向へ移動される。天板７は、被検体Ｐが載置された状態で、架台９に形成されたボア内へ挿入される。
【００１０】
架台９は、静磁場磁石１１、傾斜磁場コイル１５、ＲＦコイル１７を有する。静磁場磁石１１は、超電導コイルによる超電導磁石であり、円筒状に構成される。静磁場磁石１１は、静磁場電源１２から供給される電流により、撮像空間に静磁場を形成する。
【００１１】
傾斜磁場電源１６は、傾斜磁場の発生に係るパルス電流を、傾斜磁場コイル１５に供給する。傾斜磁場コイル１５は、架台９において、静磁場磁石１１の内側に設けられる。傾斜磁場コイル１５は、互いに直交するＸ、Ｙ、Ｚの各軸に対応する３組のコイル１５ｘ、コイル１５ｙ、コイル１５ｚを有する。これら３つのコイルは、傾斜磁場電源１６からの電流供給により、傾斜磁場を発生する。Ｚ軸方向は、例えば、寝台５の長手方向である。また、Ｙ軸方向は、鉛直方向とし、Ｘ軸方向は、Ｚ軸及びＹ軸に垂直な方向とする。
【００１２】
送信器１９は、核磁気共鳴を起こさせるためのラーモア周波数に対応する高周波パルスを、ＲＦコイル１７に供給する。ＲＦコイル１７は、送信器１９からの高周波パルスの供給を受けて、ＲＦパルスを発生する。ＲＦパルスは、被検体Ｐ内の原子核を励起させる。ＲＦコイル１７は、被検体Ｐにおける原子核が励起状態から元に戻る際に発生されるＭＲ信号を受信する。受信器２１は、ＭＲ信号に各種の信号処理を施した後、エコーデータを生成する。受信器２１は、エコーデータをシーケンスコントローラ２３に出力する。
【００１３】
シーケンスコントローラ２３は、メモリとプロセッサとを有する。メモリは、記憶装置２７から読み出したプリセットを記憶する。プリセットは、撮像部位および撮像目的に応じた撮像条件を有する複数の撮像プロトコルを、所望の順序で設定したものである。撮像条件は、複数の撮像パラメータの組み合わせである。撮像プロトコルは、撮像パラメータを設定することで定義される撮像の単位である。シーケンスコントローラ２３は、撮像プロトコルに従って、傾斜磁場電源１６、送信器１９などを制御する。シーケンスコントローラ２３は、エコーデータを処理装置３３に転送する。制御装置２５は、本ＭＲＩ装置１の全体の動作を制御する。
【００１４】
記憶装置２７は、ハードディスクドライブ、ソリッドステートドライブ、磁気ディスク、光ディスク、半導体メモリなどにより構成される。記憶装置２７は、記憶部の一例である。記憶装置２７は、パルスシーケンス、プリセット、撮像プロトコル、撮像パラメータなどを記憶する。記憶装置２７は、入力インタフェース装置２９を介した操作者の指示、ＭＲ画像、ネットワークを介して受信した種々のデータ、各種装置により実行されるプログラム、撮像条件の編集時にディスプレイに表示される撮像パラメータの編集画面等を記憶する。編集画面は、撮像パラメータの値を入力する画面である。
【００１５】
撮像パラメータとは、ＴＲ（ｒｅｐｅｔｉｔｉｏｎ  ｔｉｍｅ：繰り返し時間）、データ収集回数（ｎｕｍｂｅｒ  ｏｆ  ａｑｉｓｉｔｉｏｎ：ＮＡＱ）、スライス数、マトリクスサイズ、折り返し防止、マルチアレイコイルによるパラレルイメージングの倍速率、ＴＩ（ｉｎｖｅｒｓｉｏｎ  ｔｉｍｅ：反転時間）、Ｐｒｅｐｕｌｓｅ（数、Ａｎｇｌｅ）、ｓｅｇｍｅｎｔ数、Ｓｈｏｔ数、Ｐｒｅｓｃａｎ（ＲＧＮ（受信ゲイン）、位相補正）の内容、複素共役対称を利用した撮像パラメータ（ａｓｙｍｍｅｔｒｉｃ  Ｆｏｕｒｉｅｒ  ｉｍａｇｉｎｇ：ＡＦＩ）、ＴＲの繰り返し数（カバレージ数）、ＤＷＩ軸数、Ｆｌｉｐ／Ｆｌｏｐ  ａｎｇｌｅ、ＴＥ（ｅｃｈｏ  ｔｉｍｅ）、ＦＯＶ（Ｆｉｅｌｄ  Ｏｆ  Ｖｉｅｗ：撮像視野）、Ｔｈｉｃｋｎｅｓｓ（スライス厚）、Ｂａｎｄ幅、（受信コイル）、撮像部位、ＥＰＩまたはＦＡＳＥのパルスシーケンスでのエコートレインの間の時間間隔（パルスのＥＴＳ（ｅｃｈｏ  ｔｒａｉｎ  ｓｐａｃｉｎｇ））、Ｂ１  Ｓｈｉｍ  Ｐｈａｓｅ、ＭＲデータにゼロフィリングを行い見かけの面内分解能を高める手法（ｆｉｎｅ  ｒｅｃｏｎｓｔｒｕｃｔｉｏｎ：Ｆｉｎｅ  Ｒｅｃｏｎ）、Ｓａｍｐｌｉｎｇ  Ｒａｔｉｏ、Ｆｉｌｔｅｒ、寝台位置、ＤＷＩ強度、シーケンスの種類（シーケンス種：ＲＦ  ｔｙｐｅ、ＧＲ  Ｔｙｐｅなど）、ＰＥ（位相エンコード）方向、分解能、カバレージ分割数、ｄＢ／ｄｔなどである。なお、折り返し防止は、例えば、折り返し防止係数と読み替えてもよい。なお、撮像パラメータは、上記記載に限定されない。
【００１６】
入力インタフェース装置２９は、操作者からの各種指示・命令・情報・選択・設定を本ＭＲＩ装置１に取り込む。入力インタフェース装置２９は、マウス、キーボード、マイクなどによって実現される。入力インタフェース装置２９は入力部の一例である。入力インタフェース装置２９は、操作者から受け取った入力操作を電気信号に変換し、変換した電気信号を各種装置へ出力する。なお、本明細書において、入力インタフェース装置２９は、マウス、キーボードなどの物理的な操作部品を備えるものだけに限らない。例えば、本ＭＲＩ装置１とは別体に設けられた外部の入力機器から入力操作に対応する電気信号を受け取り、受け取った電気信号を制御装置２５および処理装置３３へ出力するような電気信号の処理回路も入力インタフェース装置２９の例に含まれる。
【００１７】
表示装置３１は、制御装置２５による制御のもとで、種々の画像、撮像パラメータの値の編集画面等を表示する。表示装置３１は、表示部の一例である。
【００１８】
処理装置３３は、プロセッサとメモリとを備える。処理装置３３は、本ＭＲＩ装置１における各処理を実行するための各種プログラムを実行することで、当該プログラムに対応する機能を実現する。処理装置３３は、操作者により選択されたプリセットを記憶装置２７から読み出してシーケンスコントローラ２３に出力することにより、データ収集を実行する。処理装置３３は、画像生成機能３３１により、収集されたエコーデータ等に対して２次元または３次元のフーリエ変換を実行することで、ＭＲ画像を生成する。処理装置３３は、ＭＲ画像に対して、各種画像処理を実行する。処理装置３３の画像生成機能３３１は、画像生成部の一例である。
【００１９】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（ｇｒａｐｈｉｃｓ  ｐｒｏｃｅｓｓｉｎｇ  ｕｎｉｔ）、或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｌｅｘ  Ｐｒｏｇｒａｍｍａｂｌｅ  Ｌｏｇｉｃ  Ｄｅｖｉｃｅ：ＣＰＬＤ）、及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。
【００２０】
プロセッサは、記憶装置２７に保存されたプログラムを読み出して実行することで、各種機能を実現する。なお、記憶装置２７に各種プログラムを保存する代わりに、制御装置２５または処理装置３３におけるプロセッサの回路内に、当該プログラムを直接組み込むように構成しても構わない。この場合、プロセッサは、回路内に組み込まれた当該プログラムを読み出して実行することで、当該機能を実現する。
【００２１】
以上、本実施形態に係るＭＲＩ装置１の全体的な構成について説明した。このような構成のもと、本実施形態に係るＭＲＩ装置１は、記憶部としての記憶装置２７と、関連図生成部としての関連図生成機能３３３と、表示部としての表示装置３１とを備える。記憶装置２７は、磁気共鳴撮像の撮像条件における複数の撮像パラメータと、撮像パラメータ間の影響関係を示すデータとを記憶する。関連図生成機能３３３は、撮像パラメータに対応する複数の値と影響関係とに基づいて、複数の値同士の関連性を視覚的に示す関連図を生成する。表示装置３１は、関連図を表示する。したがって、本実施形態によれば、撮像条件の編集時において、編集された撮像条件が撮像に与える影響を操作者に直感的に提示することができる。以下、本実施形態に係るＭＲＩ装置１について詳述する。
【００２２】
本実施形態に係る記憶装置２７は、磁気共鳴撮像の撮像条件としての複数の撮像パラメータと、複数の撮像パラメータ間の影響関係を示すデータとを記憶する。影響関係を示すデータとは、例えば、ある撮像パラメータの変更量に対する他の撮像パラメータの変更量の対応表（Ｌｏｏｋ  Ｕｐ  Ｔａｂｌｅ）である。なお、記憶装置２７は、影響関係を示すデータとして、上記対応表の代わりに、ある撮像パラメータの変更量に対する他の撮像パラメータの変更量を計算する計算式を記憶してもよい。また、影響関係を示すデータは、複数の撮像パラメータ間の制約（負の相関、正の相関等）を示すリストと、ある撮像パラメータの変更量が他の撮像パラメータに影響を与える程度を示す重みとを有する情報であってもよい。
【００２３】
関連図生成機能３３３を実現する処理装置３３は、撮像パラメータに対応する複数の値と影響関係とに基づいて、撮像パラメータ間の複数の値同士の関連性を視覚的に示す関連図を生成する。処理装置３３は、関連図生成部の一例である。関連図として用いられるグラフは、レーダーチャート、棒グラフなどである。なお、関連図に表示される撮像パラメータの種類及び数、関連図として用いられるグラフの種類等は、操作者により適宜選択可能である。
【００２４】
入力インタフェース装置２９は、関連図における撮像パラメータの値を示すポイントの移動操作に応じた電気信号を入力する（ポイントの移動の入力）。移動操作は、関連図において、撮像パラメータの増加方向または減少方向に沿ってポイントを移動させる操作である。入力インタフェース装置２９は、編集画面において撮像パラメータの値を入力する。このとき、入力された撮像パラメータの値は、処理装置３３により、関連図に反映される。すなわち、関連図におけるポイントの位置は、入力された撮像パラメータの値に応じて、移動される。
【００２５】
決定機能３３５を実現する処理装置３３は、ポイントの移動による撮像パラメータの変更量と影響関係とに基づいて、関連図においてポイントの移動に連動する撮像パラメータの値を決定する。また、処理装置３３は、編集画面において入力された撮像パラメータの値と影響関係とに基づいて、関連図において連動する撮像パラメータの値を決定する。決定機能３３５を実現する処理装置３３は、決定部の一例である。
【００２６】
変更機能３３７を実現する処理装置３３は、撮像パラメータの値を示すポイントの移動操作に応じて、移動操作前における撮像条件を、ポイントの移動による撮像パラメータの変更量と影響関係とを反映した撮像条件に変更する。このとき、処理装置３３は、決定された値を用いて関連図における複数の撮像パラメータの値同士の関連性を変更することにより、関連図を更新する。また、処理装置３３は、撮像パラメータの値の入力操作に応じて、入力操作前における撮像条件を、入力操作後の撮像パラメータの変更量と影響関係とを反映した撮像条件に変更する。このように、入力された撮像パラメータの値は、関連図に反映される。変更機能３３７を実現する処理装置３３は、変更部の一例である。
【００２７】
表示装置３１は、関連図を表示する。好適には、表示装置３１は、撮像パラメータの編集画面とともに関連図をディスプレイに表示する。表示装置３１は、移動操作に応答して、更新された関連図を表示する。以下、説明を具体的にするために、関連図はレーダーチャートであるものとして説明する。レーダーチャートの軸数は、撮像パラメータの総数に対応する。なお、表示装置３１は、撮像パラメータの数に応じて、複数のレーダーチャートを表示してもよい。
【００２８】
（動作）  
本実施形態に係る動作は、レーダーチャートにおける撮像パラメータの値を示すポイントの移動操作または編集画面における撮像パラメータの値の入力に応答して、レーダーチャートを更新して表示する動作である。以下、本実施形態に係る処理手順について説明する。
【００２９】
図２および図３は、本実施形態に係る動作の処理手順を示すフローチャートである。  
撮像条件の編集時において、編集画面とレーダーチャートとが表示される（ステップＳａ１）。レーダーチャートには、例えば、操作者により選択されたプリセット（または撮像プロトコル）に含まれる撮像パラメータが表示される。編集画面とレーダーチャートとは、異なる画面として切り替え可能に表示されてもよい。
【００３０】
図４は、ディスプレイに表示された編集画面２０とレーダーチャート４００とを示す図である。図４の編集画面における複数のハッチングの箇所は、編集画面における撮像パラメータの値の入力領域である。図４に示すように、編集画面２０には、撮像内容、撮像プロトコル名などの付帯情報が表示される。レーダーチャート４００において撮像パラメータＡ、Ｂ、Ｃ、Ｄ、Ｅに対応する編集前の撮像パラメータの値を示すポイントは、レーダーチャート４００の中心からの等距離に配置されている。編集前の撮像パラメータの値は、本ＭＲＩ装置１が設置された病院独自の指針、操作者が所望する検査方針により推奨される値、本ＭＲＩ装置１の供給会社が推奨する値、前回の撮像条件の編集結果の値などである。編集前の撮像パラメータの値は、撮像条件の編集時における基準値に相当する。なお、基準値は、操作者により選択された複数の撮像プロトコル、複数のプリセットなどに共通して含まれる複数の同一撮像パラメータの値の代表値（平均値、最頻値、中央値など）であってもよい。例えば、図４に示す点線のベースは、レーダーチャート４００において、５つの撮像パラメータの基準値を示すポイントを結んだ折れ線であり、編集前の５つの撮像パラメータの値同士の関連性に相当する。
【００３１】
レーダーチャート４００において、撮像パラメータの値を示すポイントの移動が入力される（ステップＳａ２）。なお、レーダーチャート４００に表示された複数の撮像パラメータのうち少なくとも２つが移動操作の対象として設定されている場合、設定された撮像パラメータの値を示すポイントが、移動操作によりまとめて移動される。図４に示す矢印４０２は、レーダーチャート４００において、撮像パラメータＢの値を示すポイントの変更量（撮像パラメータの変更量）を示している。レーダーチャート４００の軸に沿った撮像パラメータの増減方向は、撮像パラメータごとに適宜設定、変更可能である。例えば、撮像パラメータがＴＲである場合、ＴＲは、スループットを向上させる観点において、短いほど好ましい。このため、レーダーチャート４００の原点から離れる方向は、ＴＲの減少方向に対応付けられる。
【００３２】
ステップＳａ２に続いて、撮像パラメータの変更量と影響関係とに基づいて、レーダーチャート４００におけるポイントの移動に連動する撮像パラメータの値が決定される（ステップＳａ３）。具体的には、ポイントの移動に連動する撮像パラメータの値は、ポイントの移動による撮像パラメータの変更量と対応表とを用いて決定される。なお、ポイントの移動に連動する撮像パラメータの値は、撮像パラメータの変更量と計算式とを用いて計算されてもよい。
【００３３】
編集画面において撮像パラメータの値が入力される（ステップＳａ４）と、入力された値に関する撮像パラメータと影響関係とに基づいて、レーダーチャート４００において、値の入力に連動する撮像パラメータの値が決定される（ステップＳａ５）。具体的には、入力に連動する撮像パラメータの値は、入力された値に対応する撮像パラメータの変更量と対応表とを用いて決定される。なお、撮像パラメータの値が入力される領域は、編集画面に限定されず、例えば、レーダーチャートにおける撮像パラメータの近傍にカーソルが移動されたときに表示される領域（プルダウン、ダイアログボックスなど）であってもよい。
【００３４】
レーダーチャート４００において、決定された値を用いて撮像パラメータの値を示すポイントの位置が変更され、撮像パラメータの値同士の関連性も変更される（ステップＳａ６）。加えて、編集画面において、連動する撮像パラメータの値が決定された値に変更される（ステップＳａ７）。撮像パラメータの値の変更に伴って、編集画面２０とレーダーチャート４００とが更新され、表示される（ステップＳａ８）。
【００３５】
図４における矢印４０４は、撮像パラメータＢの値を示すポイントの移動に連動する複数の撮像パラメータのうち、撮像パラメータＡの値を示すポイントの移動を示している。図４に示すように、レーダーチャート４００における撮像パラメータＡ、Ｃ、Ｄ、Ｅの値を示すポイントは、撮像パラメータＢの値を示すポイントの移動に連動して、レーダーチャート４００における各撮像パラメータの軸に沿って移動される。例えば、レーダーチャート４００における実線の折れ線は、撮像パラメータＢの値を示すポイントの移動に応答して変更された、撮像パラメータの値同士の関連性を示している。図４に示すように、ポイントの移動の前後における撮像パラメータの値同士の関連性、すなわち複数の撮像パラメータのバランスは、異なる表示態様（例えば、編集前：点線、編集後：実線）で視覚化されてディスプレイに表示される。移動の前後の撮像パラメータの値同士の関連性は、異なる線種で区別しているが異なる色相、太さ等の異なる表示態様により区別されてもよい。
【００３６】
撮像パラメータが確定されなければ（ステップＳａ９のＮｏ）、ステップＳａ１乃至Ｓａ８の処理が繰り返される。撮像パラメータが確定されると（ステップＳａ９のＹｅｓ）、編集前の撮像条件が、決定機能３３５により決定された値を反映した撮像条件に変更される（ステップＳａ１０）。なお、パルスシーケンス、撮像目的、撮像部位などを用いて関連付けされた複数の撮像プロトコル（撮像グループ）に共通して含まれる撮像条件を、変更量と影響関係とを反映した撮像条件に変更（一括変換）することも可能である。また、複数の撮像グループを予め記憶しておき、操作者により任意に選択された撮像グループに対して、上記一括変換が実行されてもよい。
【００３７】
ステップＳａ１０により変更された撮像条件は、記憶装置２７に記憶される。撮像条件の編集が終了するまで、ステップＳａ１乃至Ｓａ１０の処理が繰り返される（ステップＳａ１１のＮｏ）。撮像条件が再度編集される場合（ステップＳａ１１のＮｏ）、レーダーチャート４００における複数のポイントの位置を揃える正規化指示が入力されてもよい。具体的には、正規化指示の入力に応答して、レーダーチャートの軸各々のスケールが変更される。これにより、レーダーチャートにおける複数のポイントの位置が揃えられて、表示される。なお、図４における関連図では、一例として５つの撮像パラメータの値を示すポイントが示されているが、関連図に表示される撮像パラメータの数は５つに限定されない。このとき、レーダーチャート４００において撮像パラメータの値同士の関連性を示す実線の折れ線は、正規化指示により正多角形として表示される。
【００３８】
以上に述べた構成によれば、以下に示す効果を得ることができる。  
本実施形態に係るＭＲＩ装置１によれば、磁気共鳴撮像の撮像条件における複数の撮像パラメータと、当該撮像パラメータ間の影響関係を示すデータとを記憶し、撮像パラメータに対応する複数の値と影響関係とに基づいて、複数の値同士の関連性を視覚的に示す関連図を生成し、表示する。したがって、撮像条件の編集時において、編集された撮像条件が撮像に与える影響を操作者に直感的に提示することができる。
【００３９】
例えば、関連図における撮像パラメータの値を示すポイントの移動操作または編集画面における撮像パラメータの値の入力に応じて、撮像パラメータの値を示すポイントの位置を撮像パラメータの値同士の関連性とともに変更して関連図に表示し、編集画面における撮像パラメータの値を変更して表示することができる。また、本ＭＲＩ装置１によれば、撮像パラメータの値を示すポイントの移動操作前のベースに相当する折れ線を、撮像パラメータの編集前後において表示することができる。加えて、本ＭＲＩ装置１によれば、正規化指示に応じて、関連図における撮像パラメータの値を示す複数のポイントの位置を揃えることができる。さらに、本ＭＲＩ装置１によれば、撮像パラメータの値の確定に応答して、撮像グループに共通して含まれる撮像条件を、確定された撮像パラメータの値にしたがって一括して変更することができる。
【００４０】
以上のことから、本実施形態に係るＭＲＩ装置１によれば、撮像条件の編集において、複数の撮像パラメータ間の制約による撮像パラメータの値の変化を、撮像パラメータの値同士の関連性とベースとともに関連図で視覚的に表示することができ、ベースに対する撮像パラメータの値同士の関連性の変化を直感的に操作者に提示することができる。すなわち、本ＭＲＩ装置１によれば、編集された撮像パラメータの影響を受けて変更される他の撮像パラメータの変化を操作者に容易に把握させることできる。これらのことから、操作者が予期しない撮像パラメータの変更による撮像条件の再設定を低減させることができ、撮像条件の編集効率およびＭＲＩ検査のスループットを向上させることができる。
【００４１】
（変形例）  
本変形例は、第１の実施形態に比べ、レーダーチャートにおいて連動するポイントの移動を制限させる構成となっている。これに伴い、入力インタフェース装置２９は、レーダーチャートに表示された複数の撮像パラメータの少なくとも一つに対して、ポイントの移動による撮像パラメータ間の影響を制限する指示（制限指示）を入力する。変更機能３３７を実現する処理装置３３は、ポイントの移動操作による撮像パラメータ間の影響を制限する制限指示に従って影響関係を変更する。決定機能３３５を実現する処理装置３３は、変更された影響関係と撮像パラメータの変更量とに基づいて、連動する撮像パラメータの値を決定する。他の構成については第１の実施形態の構成と同様である。
【００４２】
上述した移動の制限は、例えば、移動の緩和および固定である。まず、ポイントの移動による撮像パラメータ間の影響の緩和について説明し、次いで、レーダーチャートにおけるポイントの固定について説明する。
【００４３】
（撮像パラメータ間の影響の緩和）  
入力インタフェース装置２９は、制限指示として、移動の緩和の優先順序を示す優先度を入力する。優先度が小さいほど、撮像パラメータ間の影響は小さくなる。なお、入力インタフェース装置２９は、編集画面における撮像パラメータに対して、優先度を入力してもよい。
【００４４】
変更機能３３７を実現する処理装置３３は、制限指示として入力された優先度に従って影響関係を変更する。具体的には、処理装置３３は、対応表において、制限指示により指定された撮像パラメータの変更量を低減させる。すなわち、処理装置３３は、影響関係を示すデータにおいて、制限指示により指定された撮像パラメータに影響を与える程度を、優先度に従って低減させる。加えて、処理装置３３は、優先度と影響関係とに基づいて、変更量の低減に応じて影響関係を調和させるために、優先度が指定されていない他の撮像パラメータに関する変更量を増加させる。
【００４５】
決定機能３３５を実現する処理装置３３は、変更された影響関係とポイントの移動による撮像パラメータの変更量とに基づいて、移動に連動する撮像パラメータの値を決定する。
【００４６】
表示装置３１は、レーダーチャートにおいて、優先度が指定された撮像パラメータの値を示すポイントに、優先度を示すマーカを表示する。優先度を示すマーカは、例えば、優先度を示す数値を有する所定の図形である。
【００４７】
制限指示として指定された撮像パラメータに関するポイントの動作は、移動操作又は変更操作に対する連動において緩慢になる。すなわち、制限指示を受けた撮像パラメータに関するポイントは、移動操作又は変更操作による影響を受けにくくなるため、レーダーチャートにおいて動きにくくなる。加えて、制限指示を受けた撮像パラメータに対する移動操作も抑制され、制限指示を受けた撮像パラメータに関するポイントは、レーダーチャート上において動かしにくくなる。移動操作又は変更操作による撮像パラメータの連動性に対して制約を設けたいときに、制限指示は有用となる。
【００４８】
（撮像パラメータの固定）  
入力インタフェース装置２９は、レーダーチャートに表示された複数の撮像パラメータのうち少なくとも一つに対して、レーダーチャートにおける撮像パラメータの値を示すポイントを固定する固定指示を、制限指示として入力する。なお、入力インタフェース装置２９は、編集画面における撮像パラメータに対して、固定指示を入力してもよい。
【００４９】
変更機能３３７を実現する処理装置３３は、固定指示に従って、影響関係を変更する。具体的には、処理装置３３は、対応表において、制限指示で指定された撮像パラメータの変更量をゼロにする。すなわち、処理装置３３は、影響関係を示すデータにおいて、固定指示により指定された撮像パラメータに影響を与える程度を、ゼロにする。加えて、処理装置３３は、固定指示により指定された撮像パラメータと影響関係とに基づいて、影響関係を調和させるために、固定指示により指定されていない他の撮像パラメータに関する変更量を増加させる。
【００５０】
決定機能３３５を実現する処理装置３３は、変更された影響関係とポイントの移動による撮像パラメータの変更量とに基づいて、固定指示により指定された撮像パラメータを除く他の連動する撮像パラメータの値を決定する。
【００５１】
表示装置３１は、レーダーチャートにおいて、固定指示により指定された撮像パラメータの値を示すポイントに、固定を示すマーカを表示する。固定を示すマーカは、例えば鋲形状の図形である。
【００５２】
図５は、撮像パラメータＡに対して固定指示が入力されたレーダーチャート５００の一例を示す図である。図５の撮像パラメータＡの値を示すポイントには、固定を示すマーカ５０１が、鋲形状の画像として表示される。図５に示すように、撮像パラメータＢの値を示すポイントの移動５０２において、撮像パラメータＡの値を示すポイントは、固定されたままとなる。レーダーチャート５００における５０３は、撮像パラメータＢの値を示すポイントの移動５０２において、未固定指示の場合の撮像パラメータＡの値を示すポイントの位置と、固定指示による撮像パラメータＡの値を示すポイントの位置との差異を示している。レーダーチャート５００における５０４は、撮像パラメータＡが固定された場合の撮像パラメータＣの値を示すポイントの移動量を示している。
【００５３】
図５のレーダーチャート５００において撮像パラメータＢの値を示すポイントが撮像パラメータの限界値を示す位置（以下、パラメータ限界位置と呼ぶ）を超えて移動された場合、当該ポイントは、パラメータ限界位置に戻される。すなわち、非固定の撮像パラメータの値を示すポイントの移動は、パラメータ限界位置により制限される。なお、パラメータ限界位置を超えて撮像パラメータＢの値を示すポイントが移動された場合、マーカ５０１は、固定指示により指定された位置から外れた位置に、横倒しの鋲形状などの異なる表示態様で表示されてもよい。このとき、撮像パラメータＡの値を示すポイントの固定は解除され、ポイントの固定が解除されることを警告する文字情報、例えば「固定を解除しますがよろしいですか？」等の文字列が、表示されてもよい。
【００５４】
以上に述べた構成によれば、以下に示す効果を得ることができる。  
本変形例に係るＭＲＩ装置１によれば、関連図に表示された撮像パラメータに対して、ポイントの移動による撮像パラメータ間の影響を制限する制限指示を入力し、制限指示に従って影響関係を変更し、変更された影響関係と撮像パラメータの変更量とに基づいて、移動に連動する撮像パラメータの値を決定する。したがって、第１の実施形態の効果に加え、撮像パラメータ間の影響を制限した場合の撮像条件の編集時において、編集された撮像条件が撮像に与える影響を操作者に直感的に提示することができる。
【００５５】
例えば、関連図において、撮像パラメータの値を示すポイントの移動を制限させることができる。加えて、本ＭＲＩ装置１によれば、関連図において、移動の制限が指定された撮像パラメータに対して、マーカを表示することができる。このため、操作者は、優先度が付与されていない他の撮像パラメータの値を示すポイントの変動具合を、撮像パラメータの値同士の関連性とともに直感的に視認することができる。
【００５６】
また、本ＭＲＩ装置１によれば、関連図において、撮像パラメータの値を示すポイントが移動しないように、該ポイントの位置を固定することができる。これにより、操作者は、撮像パラメータの固定に伴う他の撮像パラメータの変動具合を、撮像パラメータの値同士の関連性とともに直感的に視認することができる。これらのことから、本ＭＲＩ装置１によれば、操作者が予期しない撮像パラメータの変更を防止し、撮像条件の再設定が不要となり、撮像条件の編集のスループットを向上させることができる。
【００５７】
（第２の実施形態）  
本実施形態は、第１の実施形態に比べ、関連図において、複数の撮像パラメータに関連し磁気共鳴撮像に与える影響を示す複数の撮像指標の値を示すポイントを移動し、撮像指標の値同士の関連性とともに表示する構成となっている。これに伴い、関連図生成機能３３３を実現する処理装置３３は、撮像パラメータに関連し磁気共鳴撮像に与える影響を示す複数の撮像指標に対応する複数の値と影響関係とに基づいて、複数の値同士の関連性を視覚的に示す関連図を生成する。表示装置３１は、関連図を表示する。他の構成については第１の実施形態の構成と同様である。
【００５８】
本実施形態に係る記憶装置２７は、複数の撮像指標を記憶する。複数の撮像指標各々は、撮像条件が撮像に与える影響の程度を示す指標である。なお、撮像指標は、アーチファクトに関する指標であってもよい。このとき、撮像指標の値は、アーチファクトの程度を示す値となる。記憶装置２７は、撮像パラメータの値と撮像指標の値との間の変換関係を示す変換表を記憶する。なお、記憶装置２７は、上記変換表の代わりに、撮像パラメータの値と撮像指標の値との間の変換関係を示す変換式を記憶してもよい。
【００５９】
図６は、撮像指標と撮像指標の編集希望と撮像指標に関連する撮像パラメータの一例を示す図である。図６に示すように、複数の撮像指標各々は、撮像パラメータを介して、他の撮像指標と関連する。撮像指標の値は、複数の撮像パラメータ間の影響関係と変換表とを介して互いに関連する。
【００６０】
関連図生成機能３３３を実現する処理装置３３は、撮像パラメータに関連し磁気共鳴撮像に与える影響を示す複数の撮像指標に対応する複数の値と影響関係とに基づいて、複数の値同士の関連性を視覚的に示す関連図を生成する。なお、関連図に表示される撮像指標の種類及び数等は、操作者により適宜選択可能である。
【００６１】
入力インタフェース装置２９は、関連図における撮像指標の値を示すポイントの移動操作に応じた電気信号を入力する（ポイントの移動の入力）。移動操作は、関連図において、撮像指標の増加方向または減少方向に沿ってポイントを移動させる操作である。第１の実施形態との相違は、関連図においてポイントが示す対象が異なることにある。
【００６２】
決定機能３３５を実現する処理装置３３は、ポイントの移動による撮像指標の値の変更に伴う撮像パラメータの変更量と影響関係とに基づいて、関連図においてポイントの移動に連動する撮像指標の値を決定する。
【００６３】
変更機能３３７を実現する処理装置３３は、撮像指標の値を示すポイントの移動操作に応じて、決定された撮像指標の値を用いて関連図における撮像指標の値同士の関連性を変更することにより、関連図を更新する。
【００６４】
表示装置３１は、撮像パラメータに関連し磁気共鳴撮像に与える影響を示す複数の撮像指標に対応する複数の値同士の関連性を視覚的に示す関連図を表示する。以下、説明を具体的にするために、関連図はレーダーチャートであるものとして説明する。レーダーチャートの軸数は、撮像指標の総数に対応する。なお、表示装置３１は、撮像指標の数に応じて、複数のレーダーチャートを表示してもよい。
【００６５】
（動作）  
本実施形態に係る動作は、レーダーチャートにおける撮像指標の値を示すポイントの移動操作または編集画面における撮像パラメータの値の入力に応答して、レーダーチャートを更新して表示する動作である。以下、本実施形態の動作に係る処理手順について説明する。
【００６６】
図７および図８は、本実施形態に係る動作の処理手順を示すフローチャートである。  
撮像条件の編集時に表示されるレーダーチャートには、例えば、操作者により選択された撮像指標が表示される。なお、撮像指標は、操作者により指定された複数の撮像パラメータに従って新たに作成されてもよい。このとき、新たな撮像指標の値は、操作者により指定された複数の撮像パラメータの値と影響関係とを用いて決定される。加えて、新たな撮像指標の値と撮像パラメータの値との間の変換関係は、例えば、操作者の指示または所定の学習機能により新たに作成され、変換表に追加される。なお、変換表の代わりに、撮像パラメータの値と撮像指標の値との間の変換関係が、操作者の指示または所定の学習機能により新たに作成され、変換式として、新たに記憶装置２７に記憶されてもよい。
【００６７】
図９は、ディスプレイに表示された編集画面２０とレーダーチャート９００とを示す図である。レーダーチャート９００における撮像指標（ＳＮＲ、ＳＡＲ、分解能、ＭＲ画像の歪み、撮像時間）に対応する編集前の撮像指標の値を示すポイントは、レーダーチャート９００の中心からの等距離に配置されている。編集前の撮像指標の値は、本ＭＲＩ装置１が設置された病院独自の指針、操作者が所望する検査方針により推奨される値、本ＭＲＩ装置１の供給会社が推奨する値などである。編集前の撮像指標の値は、撮像条件の編集時における基準値に相当する。例えば、図９に示す点線のベースは、レーダーチャート９００において、５つの撮像指標の基準値を示すポイントを結んだ折れ線であり、編集前の５つの撮像指標の値同士の関連性に相当する。なお、撮像指標の基準値に関する参照画像が編集画面２０とレーダーチャート９００とともにディスプレイに表示されてもよい。基準値に応じた参照画像は、記憶装置２７に記憶される。
【００６８】
レーダーチャート９００において、撮像指標の値を示すポイントの移動が入力される（ステップＳｂ１）。なお、レーダーチャート９００に表示された複数の撮像指標のうち少なくとも２つが移動操作の対象として設定されている場合、設定された撮像指標の値を示すポイントが、移動操作によりまとめて移動される。図９に示す矢印９０２は、レーダーチャート９００において、撮像指標：ＳＮＲの値を示すポイントの変更量（撮像指標の変更量）を示している。レーダーチャート９００の軸に沿った撮像指標の増減方向は、撮像指標ごとに適宜設定、変更可能である。例えば、撮像指標がＳＮＲである場合、ＳＮＲは、図６に示すように、画質を向上させる観点において、高いほど好ましい。このため、レーダーチャート９００の原点から離れる方向は、ＳＮＲの増加方向に対応付けられる。
【００６９】
ステップＳｂ１に続いて、撮像指標の変更量と影響関係に基づいて、レーダーチャート９００におけるポイントの移動に連像する撮像指標の値が決定される（ステップＳｂ２）。具体的には、まず、ポイントの移動に連動する撮像パラメータの変更量が、移動されたポイントに対応する撮像指標の値の変更量と変換対応表とを用いて決定される。次いで、第１の実施形態における説明と同様に、影響を受ける撮像パラメータの値が、撮像パラメータの変更量と影響関係とに基づいて決定される。続いて、レーダーチャート９００においてポイントの移動に連動する撮像指標の値が、決定した撮像パラメータの値と変換対応表とを用いて決定される。なお、連動する撮像指標の値は、移動されたポイントに対応する撮像指標の変更量と変換式と計算式とを用いて計算されてもよい。図９におけるレーダーチャート９００において、ＳＮＲの値を示すポイントの移動に連動する撮像指標は、図６を参照すると、ＳＡＲ、分解能、撮像時間である。
【００７０】
上記撮像指標の値の決定の一例として、ＳＮＲの値が５増加（＋５）した場合について説明する。説明を簡単にするため、ＳＮＲに関連する撮像パラメータは、ＴＲとフリップ角であるものとする。このとき、ＴＲの変更量とフリップ角の変更量とが、ＳＮＲの変更量（＋５）と変換表とを用いて決定される。次いで、ＴＲの変更に対して影響を受ける撮像パラメータの値が、ＴＲの変更量と影響関係とに基づいて決定される。加えて、フリップ角の変更に対して影響を受ける撮像パラメータの値が、フリップ角の変更量と影響関係とに基づいて決定される。次いで、ＳＮＲの値を示すポイントの移動に連動する撮像指標の値が、決定された撮像パラメータの値と変換表とを用いて決定される。なお、ＳＮＲの値を示すポイントの移動に連動する撮像指標の値が、決定された撮像パラメータの値と変換式とを用いて決定されてもよい。
【００７１】
編集画面において撮像パラメータの値が入力される（ステップＳｂ３）と、入力された値に関する撮像パラメータと影響関係とに基づいて、レーダーチャート９００において値の入力に連動する撮像指標の値が決定される（ステップＳｂ４）。具体的には、まず、撮像パラメータの値の入力により影響を受ける撮像パラメータの値が、入力された値に対応する撮像パラメータの変更量と対応表とを用いて決定される。次いで、撮像パラメータの値の入力に連動する撮像指標の値が、レーダーチャート９００において、決定された撮像パラメータの値と変換表とを用いて決定される。
【００７２】
レーダーチャート９００において、決定された撮像指標の値を用いて撮像指標の値を示すポイントの位置が変更され、撮像指標の値同士の関連性も変更される（ステップＳｂ５）。加えて、決定された撮像指標の値と変換表とに基づいて、編集画面における撮像パラメータの値が変更される。撮像指標の値と撮像パラメータの値との変更に伴って、編集画面２０とレーダーチャート９００とが更新され、表示される（ステップＳｂ６）。図９において、ＭＲ画像の歪みという撮像指標は、ＳＮＲという撮像指標の値を示すポイントの移動と無関係である。このため、レーダーチャート９００の更新において、ＭＲ画像の歪みの値を示すポイントは、変化しない。
【００７３】
図９における９０４は、ＳＮＲの値を示すポイントの移動に連動する複数の撮像指標のうち、撮像時間の値を示すポイントの移動を示している。図９に示すように、レーダーチャート９００におけるＳＡＲ、分解能、撮像時間の値を示すポイントは、ＳＮＲの値を示すポイントの移動に連動して、レーダーチャート９００の軸に沿って移動される。例えば、レーダーチャート９００における実線の折れ線は、ＳＮＲの値を示すポイントの移動に応答して変更された、撮像指標の値同士の関連性を示している。図９に示すように、ポイントの移動前後における撮像指標の値同士の関連性、すなわち複数の撮像指標のバランスは、異なる表示態様（例えば、編集前：点線、編集後：実線）で視覚化されてディスプレイに表示される。
【００７４】
なお、編集画面２０およびレーダーチャート９００の更新時において、模擬的な画像が、更新された編集画面２０とレーダーチャート９００とともに表示されてもよい。模擬的な画像は、ステップＳｂ６の処理において、変更された撮像指標に関する撮像条件と参照画像とに基づいて生成される。模擬的な画像は、更新されたレーダーチャート９００における撮像指標に関する撮像結果を模擬的に反映した画像である。例えば、基準値に対してＳＮＲの値が大きい場合、模擬的な画像は、参照画像より低ノイズな画像となる。また、基準値に対して分解能の値が大きい場合、模擬的な画像は、参照画像より高精細な画像となる。
【００７５】
撮像指標および撮像パラメータが確定されなければ（ステップＳｂ７のＮｏ）、ステップＳｂ１乃至Ｓｂ６の処理が繰り返される。撮像指標および撮像パラメータが確定されると（ステップＳｂ７のＹｅｓ）、編集前の撮像条件が、決定機能３３５により決定された値を反映した撮像条件に変更される（ステップＳｂ８）。撮像条件の編集が終了するまで、ステップＳｂ１乃至Ｓｂ７の処理が繰り返される（ステップＳｂ９のＮｏ）。
【００７６】
撮像条件が再度編集される場合（ステップＳｂ９のＮｏ）、レーダーチャート９００における複数のポイントの位置を揃える正規化指示が入力されてもよい。具体的には、正規化指示の入力に応答して、レーダーチャートの軸各々のスケールが変更される。これにより、レーダーチャートにおける複数のポイントが揃えられて、表示される。例えば、レーダーチャート９００において撮像指標の値同士の関連性を示す実線の折れ線は、正規化指示により正五角形として表示される。
【００７７】
なお、撮像条件が再度編集される場合（ステップＳｂ９のＮｏ）、移動操作に応じて生成された模擬的な画像は、参照画像として、更新された編集画面２０とレーダーチャート９００とともに表示されてもよい。このとき、生成された模擬的な画像を、新たな参照画像として更新して記憶される。
【００７８】
以上に述べた構成によれば、以下に示す効果を得ることができる。  
本実施形態に係るＭＲＩ装置１によれば、磁気共鳴撮像の撮像条件における複数の撮像パラメータと、撮像パラメータ間の影響関係を示すデータとを記憶し、撮像パラメータに関連し磁気共鳴撮像に与える影響を示す複数の撮像指標に対応する複数の値と影響関係とに基づいて、複数の値同士の関連性を視覚的に示す関連図を生成し、表示する。したがって、撮像条件の編集時において、編集された撮像条件が撮像に与える影響を操作者に直感的に提示することができる。
【００７９】
例えば、関連図における撮像指標の値を示すポイントの移動操作または編集画面における撮像パラメータの値の入力に応じて、撮像指標の値を示すポイントの位置を撮像指標の値同士の関連性とともに変更して関連図に表示し、編集画面における撮像パラメータの値を変更して表示することができる。また、本ＭＲＩ装置１によれば、撮像指標の値を示すポイントの移動操作前のベースに相当する折れ線を、撮像指標および撮像パラメータの編集前後において表示することができる。加えて、本ＭＲＩ装置１によれば、正規化指示に応じて、関連図における撮像指標の値を示す複数のポイントの位置を揃えることができる。さらに、本ＭＲＩ装置１によれば、関連図における撮像指標の値を示すポイントの移動操作または編集画面における撮像パラメータの値の入力に応じて、撮像指標の値を反映した模擬的な画像を生成して関連図および編集画面とともに表示することができる。例えば、いずれかの撮像指標がアーチファクトに関する指標であり、この撮像指標の値がアーチファクトの程度を示す値である場合、他の撮像指標に対する編集結果がアーチファクトに関する撮像指標に与える影響を、模擬的な画像を介して操作者に直感的に提示することができる。
【００８０】
以上のことから、本実施形態に係るＭＲＩ装置１によれば、撮像条件の編集において、複数の撮像パラメータ間の制約よる撮像指標の値の変化を、撮像指標の値同士の関連性とベースとともに関連図で視覚的に表示することができ、ベースに対する撮像指標の値同士の関連性の変化を直感的に操作者に提示することができる。これにより、撮像パラメータの編集後の撮像条件による撮像への影響が分かりにくいという問題を解消することができる。例えば、病院ごとに設定された撮像パラメータが被検体によっては適切な撮像パラメータでない場合、被検体ごとに個別に撮像パラメータの微調整が必要になるが、本ＭＲＩ装置１によれば、撮像条件による撮像への影響を直感的に操作者に提示でき、撮像条件の再設定が不要となり、撮像条件の編集効率およびＭＲＩ検査のスループットを向上させることができる。
【００８１】
（変形例）  
本変形例は、第２の実施形態に比べ、レーダーチャートにおいて連動するポイントの移動を制限させる構成となっている。これに伴い、入力インタフェース装置２９は、関連図に表示された複数の撮像指標の少なくとも一つに対して、ポイントの移動による撮像指標間の影響を制限する指示（制限指示）を入力する。変更機能３３７を実現する処理装置３３は、制限指示に従って影響関係を変更する。決定機能３３５を実現する処理装置３３は、変更された影響関係と撮像パラメータの変更量とに基づいて、連動する撮像指標の値を決定する。他の構成については第２の実施形態の構成と同様である。
【００８２】
上述した移動の制限は、例えば、移動の緩和と固定である。まず、ポイントの移動による撮像指標間の影響の緩和について説明し、次いで、レーダーチャートにおけるポイントの固定について説明する。
【００８３】
（撮像指標間の影響の緩和）  
入力インタフェース装置２９は、制限指示として、移動の緩和の優先順序を示す優先度を入力する。優先度が小さいほど、撮像指標間の影響は小さくなる。
【００８４】
決定機能３３５を実現する処理装置３３は、ポイントの移動による撮像指標の値の変更に伴う撮像パラメータの変更量と変更された影響関係とに基づいて、移動に連動する撮像指標の値を決定する。
【００８５】
表示装置３１は、レーダーチャートにおいて、優先度が指定された撮像指標の値を示すポイントに、優先度を示すマーカを表示する。
【００８６】
制限指示として指定された撮像指標に関するポイントの動作は、移動操作又は変更操作に対する連動において緩慢になる。すなわち、制限指示を受けた撮像指標に関するポイントは、移動操作又は変更操作による影響を受けにくくなるため、レーダーチャートにおいて動きにくくなる。加えて、制限指示を受けた撮像指標に対する移動操作も抑制され、制限指示を受けた撮像指標に関するポイントは、レーダーチャート上において動かしにくくなる。移動操作又は変更操作による撮像指標の連動性に対して制約を設けたいときに、制限指示は有用となる。
【００８７】
（撮像指標の固定）  
入力インタフェース装置２９は、レーダーチャートに表示された複数の撮像指標のうち少なくとも一つに対して、レーダーチャートにおける撮像指標の値を示すポイントを固定する固定指示を、制限指示として入力する。
【００８８】
決定機能３３５を実現する処理装置３３は、ポイントの移動による撮像指標の値の変更に伴う撮像パラメータの変更量と変更された影響関係に基づいて、固定指示により指定された撮像指標を除く他の連動する撮像指標の値を決定する。
【００８９】
表示装置３１は、レーダーチャートにおいて、固定指示により指定された撮像指標の値を示すポイントに、固定を示すマーカを表示する。
【００９０】
図１０は、撮像時間に対して固定指示が入力されたレーダーチャート１００の一例を示す図である。図１０の撮像時間の値を示すポイントには、固定を示すマーカ１０１が、鋲形状の画像として表示される。図１０に示すように、ＳＮＲの値を示すポイントの移動１０２において、撮像時間の値を示すポイントは、固定されたままとなる。レーダーチャート１００における１０３は、ＳＮＲの値を示すポイントの移動１０２において、未固定指示の場合の撮像時間の値を示すポイントの位置と、固定指示による撮像時間の値を示すポイントの位置との差異を示している。レーダーチャート１００におけ１０４は、撮像時間が固定された場合のＳＡＲの値を示すポイントの移動量を示している。
【００９１】
図１０のレーダーチャート１００において、ＳＮＲの値を示すポイントが撮像指標の限界値を示す位置（以下、指標限界位置と呼ぶ）を超えて移動された場合、当該ポイントは、指標限界位置に戻される。すなわち、非固定の撮像指標の値を示すポイントの移動は、指標限界位置により制限される。なお、指標限界位置を超えてＳＮＲの値を示すポイントが移動された場合、マーカ１０１は、固定指示により指定された位置から外れた位置に、横倒しの鋲形状などの異なる表示態様で表示されてもよい。このとき、撮像時間の値を示すポイントの固定は解除され、撮像指標の値を示すポイントの固定が解除されることを警告する文字情報などが表示されてもよい。
【００９２】
以上に述べた構成によれば、以下に示す効果を得ることができる。  
本変形例に係るＭＲＩ装置１によれば、関連図に表示された撮像指標に対して、ポイントの移動による撮像パラメータ間の影響を制限する制限指示を入力し、制限指示に従って影響関係を変更し、変更された影響関係と撮像指標の変更に伴う撮像パラメータの変更量とに基づいて、移動に連動する撮像指標の値を決定する。したがって、第２の実施形態の効果に加え、撮像指標間の影響を制限した場合の撮像条件の編集時において、編集された撮像条件が撮像に与える影響を操作者に直感的に提示することができる。
【００９３】
例えば、関連図において、撮像指標の値を示すポイントの移動を制限させることができる。加えて、本ＭＲＩ装置１によれば、関連図において、移動の制限が指定された撮像指標に対して、マーカを表示することができる。このため、操作者は、優先度が付与されていない他の撮像指標の値を示すポイントの変動具合を、撮像指標の値同士の関連性とともに直感的に視認することができる。
【００９４】
また、本ＭＲＩ装置１によれば、関連図において、撮像指標の値を示すポイントが移動しないように、該ポイントの位置を固定することができる。これにより、操作者は、撮像指標の固定に伴う他の撮像指標の変動具合を、撮像指標の値同士の関連性とともに直感的に視認することができる。これらのことから、本ＭＲＩ装置１によれば、操作者が予期しない撮像指標の変更を防止し、撮像条件の再設定が不要となり、撮像条件の編集のスループットを向上させることができる。
【００９５】
（第３の実施形態）  
本実施形態は、第１の実施形態および第２の実施形態に比べ、関連図において、複数の撮像パラメータに関連し磁気共鳴撮像に与える影響を示す複数の撮像指標の値を示すポイントと複数の撮像パラメータの値を示すポイントとを移動し、撮像指標および撮像パラメータの値同士の関連性とともに表示する構成となっている。これに伴い、関連図生成機能３３３を実現する処理装置３３は、撮像パラメータに関連し磁気共鳴撮像に与える影響を示す複数の撮像指標と複数の撮像パラメータとに対応する複数の値と影響関係とに基づいて、複数の値同士の関連性を視覚的に示す関連図を生成する。表示装置３１は、関連図を表示する。他の構成については第１の実施形態および第２の実施形態の構成と同様である。
【００９６】
入力インタフェース装置２９は、関連図における撮像指標の値を示すポイントの移動操作と撮像パラメータの値を示すパラメータの移動操作とに応じた電気信号を入力する。
【００９７】
表示装置３１は、撮像パラメータに関連し磁気共鳴撮像に与える影響を示す複数の撮像指標と撮像パラメータとに対応する複数の値同士の関連性を示す関連図を表示する。なお、表示装置３１は、関連図における撮像指標の値および撮像パラメータの値を反映した参照画像または模擬的な画像を、関連図とともに表示してもよい。以下、説明を具体的にするために、関連図において用いられるグラフは、レーダーチャートであるものとする。レーダーチャートにおける軸数は、例えば、操作者により選択された撮像パラメータの数および撮像指標の数に対応する。
【００９８】
（動作）  
本実施形態に係る動作は、第１および第２の実施形態に係る動作を組み合わせた動作となる。すなわち、本実施形態の動作に係る処理手順は、図２、図３、図７、図８に示すフローチャートを組み合わせたフローチャートとなる。このため、本実施形態に係る動作の処理手順は省略する。
【００９９】
図１１は、ディスプレイに表示された編集画面２０とレーダーチャート１１０とを示す図である。レーダーチャート１１０における撮像指標は分解能と撮像時間とであり、撮像パラメータは撮像パラメータＢ、Ｃ、Ｅである。レーダーチャート１１０における分解能、撮像時間、撮像パラメータＢ、Ｃ、Ｅに対応する編集前の値を示すポイントは、レーダーチャート１１０の中心からの等距離に配置されている。
【０１００】
図１１に示す矢印１１２は、レーダーチャート１１０における撮像パラメータＢの値を示すポイントの変更量（撮像パラメータＢの変更量）を示している。なお、レーダーチャート１１０に表示された複数の撮像指標と複数の撮像パラメータとのうち少なくとも２つが、ポイントの移動操作の対象として設定されている場合、設定された撮像指標の値を示すポイントと撮像パラメータの値を示すポイントとが、移動操作によりまとめて移動される。図１１における１１４は、撮像パラメータＢの値を示すポイントの移動に連動する複数の撮像指標のうち、撮像時間の値を示すポイントの移動を示している。図１１に示すように、レーダーチャート１１０における撮像パラメータＣ、分解能、撮像パラメータＥの値を示すポイントは、撮像パラメータＢの値を示すポイントの移動に連動にして、レーダーチャート１１０の軸に沿って移動される。例えば、レーダーチャート１１０における実線の折れ線は、撮像パラメータＢの値を示すポイントの移動に応答して変更された撮像指標の値と撮像パラメータの値との関連性を示している。図１１に示すように、ポイントの移動前後において、撮像指標の値と撮像パラメータの値との関連性、すなわち撮像指標および撮像パラメータのバランスは、異なる表示態様（例えば、編集前：点線、編集後：実線）で視覚化されてディスプレイに表示される。
【０１０１】
以上に述べた構成によれば、第１の実施形態と第２の実施形態とにおいて記載した効果に加えて、以下に効果を得ることができる。  
本実施形態に係るＭＲＩ装置１によれば、磁気共鳴撮像の撮像条件における複数の撮像パラメータと、撮像パラメータ間の影響関係を示すデータとを記憶し、撮像パラメータに関連し磁気共鳴撮像に与える影響を示す複数の撮像指標と複数の撮像パラメータとに対応する複数の値と影響関係とに基づいて、複数の値同士の関連性を視覚的に示す関連図を生成し、表示する。したがって、撮像条件の編集時において、編集された撮像条件が撮像に与える影響を操作者に直感的に提示することができる。
【０１０２】
例えば、関連図において、撮像指標と撮像パラメータとに対応する複数の値を示すポイントの移動操作に応じて、撮像指標と撮像パラメータとに対応する複数の値同士の関連性を変更して関連図に表示することができる。これにより、本実施形態に係るＭＲＩ装置１によれば、撮像パラメータ間の制約のもとでの撮像条件の編集において、撮像指標と撮像パラメータとに対応する複数の値同士の関連性を、ベースとともに関連図により表示し、関連性の変化を直感的に操作者に提示することができる。
【０１０３】
（変形例）  
本変形例は、第３の実施形態に比べ、レーダーチャートにおいて連動する撮像指標および撮像パラメータの値を示すポイントの移動を制限させる構成となっている。これに伴い、入力インタフェース装置２９は、関連図に表示された撮像指標と撮像パラメータとに対して、ポイントの移動による撮像パラメータ間の影響を制限する指示（制限指示）を入力する。変更機能３３７を実現する処理装置３３は、制限指示に従って影響関係を変更する。決定機能３３５を実現する処理装置３３は、変更された影響関係と撮像パラメータの変更量とに基づいて、連動する撮像指標および撮像パラメータの値を決定する。他の構成については第１乃至第３の実施形態の構成と同様である。また、本変形例における構成および動作の内容は、第１の実施形態の変形例と第２の実施形態の変形例との組み合わせに相当するため、説明は省略する。
【０１０４】
以上に述べた磁気共鳴イメージング装置１によれば、磁気共鳴撮像の撮像条件における複数の撮像パラメータと、撮像パラメータ間の影響関係を示すデータとを記憶し、撮像パラメータに関連し磁気共鳴撮像に与える影響を示す複数の撮像指標と複数の撮像パラメータとのうち少なくとも一方に対応する複数の値と影響関係とに基づいて、複数の値同士の関連性を視覚的に示す関連図を生成し、表示することにより、撮像条件の編集時において、編集された撮像条件が撮像に与える影響を操作者に直感的に提示することができる。
【０１０５】
（第１の応用例）  
本応用例は、レーダーチャート上での軸において、臨床上推奨される撮像パラメータの値の範囲（以下、調整可能範囲と呼ぶ）を、網掛けなどの表示態様でレーダーチャートに重畳して表示することにある。換言すれば、レーダーチャートにおいて調整可能範囲を除く範囲は、臨床上推奨されない撮像パラメータの値の範囲に相当する。このため、撮像条件の編集時において、撮像パラメータの値は、調整可能範囲に制限される。例えば、図４におけるレーダーチャート４００において、調整可能範囲は、撮像パラメータの取りうる最小値（レーダーチャートの中心）と、撮像パラメータの取りうる最大値（レーダーチャートの最外の頂点）との間に表示される。レーダーチャートにおける撮像パラメータの最大値及び最小値は、例えば、ｄＢ／ｄｔのハードリミットなどのハードウェアに対する制限値に対応する。なお、ハードリミットは、調整可能範囲における最大値および最小値に対応付けられてもよい。
【０１０６】
本応用例として、移動操作又は変更操作に応じた撮像パラメータの値の変更において、変更後の撮像パラメータの値が、調整可能範囲内に制限されてもよい。このとき、レーダーチャートにおいて、撮像パラメータの値を示すポイントの移動は、調整可能範囲内に制限される。なお、調整可能範囲の表示の代わりに、撮像パラメータの値の取りうる範囲が調整可能範囲内に制限されてもよい。以下、本応用例に係る処理につい説明する。
【０１０７】
決定機能３３５を実現する処理装置３３は、ＭＲ撮像（医用撮像）におけるシーケンスと撮像目的と撮像部位と被検体情報とのうち少なくとも一つと、撮像パラメータ間の影響関係とに基づいて、撮像パラメータ各々において調整可能範囲を設定する。被検体情報は、例えば、患者ＩＤとともに、不図示のネットワークを介して放射線部門情報管理システム（ｒａｄｉｏｌｏｇｙ  ｉｎｆｏｒｍａｔｉｏｎ  ｓｙｓｔｅｍ：ＲＩＳ）等から本ＭＲＩ装置１に送信される。被検体情報は、例えば、被検体Ｐの身長、体重、性別、体型、インプラントに関する各種情報、被検体Ｐに関する各種禁忌情報である。インプラントに関する各種情報とは、例えば、被検体Ｐ内におけるインプラントの位置、インプラントの種別（ペースメーカー、人工歯、クリップ、ステント、人工弁、人工内耳、人工関節等）、インプラントの材質（金属種、シリコン等）である。また、禁忌情報とは、例えば、妊娠の経過時点、体内金属断片の有無、永久的刺青の有無、各種スクリューの有無である。
【０１０８】
なお、調整可能範囲は、シーケンスと撮像目的と撮像部位と被検体情報とに応じて、デフォルトとして予め記憶装置２７に記憶されてもよい。また、調整可能範囲は、入力インタフェース装置２９を介した操作者の指示により、適宜変更、入力されてもよい。
【０１０９】
変更機能３３７を実現する処理装置３３は、調整可能範囲をレーダーチャートに重畳することと、移動操作又は変更操作に応じた撮像パラメータの値の変更において調整可能範囲内に撮像パラメータの値を制限することとのうち少なくとも一方を実行する。なお、処理装置３３は、移動操作又は変更操作に応じた撮像パラメータの値の変更に応じて、撮像パラメータ間の影響関係等を用いて、調整可能範囲を変更してもよい。調整可能範囲の変更は、例えば、レーダーチャートにおける各撮像パラメータの軸上の調整可能範囲の幅である。調整可能範囲の変更については、後述の一例において説明する。
【０１１０】
図１２は、関連図としてレーダーチャートを用いた場合において、調整可能範囲をレーダーチャートに重畳した一例を示す図である。図１２におけるレーダーチャートは、図４におけるレーダーチャート４００に対応する。図１２における複数の網掛けのＡＰＬは、撮像パラメータＡ、Ｂ、Ｃ、Ｄ、Ｅ各々に対応する調整可能範囲を示している。
【０１１１】
図１３は、関連図として棒グラフを用いた場合において、調整可能範囲を棒グラフに重畳した一例を示す図である。図１３における棒グラフは、図４におけるレーダーチャート４００に対応する。図１３に示す棒グラフにおける複数の棒の頂点を結んだ折れ線は、編集後の５つの撮像パラメータの値同士の関連性に相当する。図１３における複数の網掛けのＡＰＬは、撮像パラメータＡ、Ｂ、Ｃ、Ｄ、Ｅ各々に対応する調整可能範囲を示している。図１３に示す矢印４０２は、棒グラフにおいて、撮像パラメータＢの変更量を示している。図１３における矢印４０４は、撮像パラメータＢの値を示す棒の高さの変化に連動する複数の撮像パラメータのうち、撮像パラメータＡの値を示す棒の高さの変化を示している。図１３に示すように、撮像パラメータＡ、Ｃ、Ｄ、Ｅの値を示す棒の高さは、撮像パラメータＢの値を示す棒の高さの変化に連動して、変更される。図１３に示す棒グラフにおける実線の折れ線は、撮像パラメータＢの値を示す棒の高さの変化に応答して変更された、撮像パラメータの値同士の関連性を示している。図１３に示すように、棒の高さの変更前後における撮像パラメータの値同士の関連性、すなわち複数の撮像パラメータのバランスは、異なる表示態様（例えば、編集前：点線、編集後：実線）で視覚化されてディスプレイに表示される。
【０１１２】
本応用例における上記記載は、撮像パラメータを用いた説明であるが、本応用例は、撮像指標に対して実施されてもよいし、撮像パラメータと撮像指標とを混在させて実施されてもよい。撮像指標に関する調整可能範囲は、上記説明における撮像パラメータを撮像指標に読みかえることで理解できるため、説明は省略する。以下、撮像パラメータと撮像指標とが混在した場合の一例について説明する。
【０１１３】
関連図において、撮像指標としてＳＡＲが表示され、撮像パラメータとしてｄＢ／ｄｔおよびＴＲが表示された場合、ＳＡＲの値を示すポイントが下げられる（ＳＡＲの低減）と、ｄＢ／ｄｔを示すポイントは不変であり、ＴＲを示すポイントは、調整可能範囲内において大きな値を示す位置に移動される。
【０１１４】
調整可能範囲の変更について、図１１に示すようなレーダーチャート上において、撮像指標として画質が表示され、撮像パラメータとして倍速率が表示された場合を例にとり説明する。このとき、倍速率におけるデフォルトとしての調整可能範囲は、２倍から８倍であるとする。また、このようなレーダーチャートにおいて、画質の値を示すポイントが移動操作により高画質化に向けて移動された場合、倍速率に関する調整可能範囲は、２倍から４倍の範囲に変更される。すなわち、調整可能範囲は、複数の撮像パラメータ間の影響関係と変換表とにより、撮像指標に対する撮像パラメータの性質を考慮して変更される。
【０１１５】
以上に述べた構成によれば、他の実施形態に記載の効果に加えて以下に示す効果を得ることができる。  
本応用例に係るＭＲＩ装置１によれば、撮像パラメータの値に関して臨床上推奨される範囲を示す調整可能範囲を関連図に重畳することと、移動操作又は変更操作に応じた撮像パラメータの値の変更において調整可能範囲内に撮像パラメータの値を制限することとのうち少なくとも一方を実行することができる。また、本応用例に係るＭＲＩ装置１によれば、撮像指標の値に関して臨床上推奨される範囲を示す調整可能範囲を関連図に重畳することと、移動操作又は変更操作に応じた撮像指標の値の変更において調整可能範囲内に撮像指標の値を制限することとのうち少なくとも一方を実行することができる。これにより、本応用例に係るＭＲＩ装置１によれば、臨床上推奨される調整可能範囲内において撮像条件を編集することができるため、撮像条件の編集効率およびＭＲＩ検査のスループットを向上させることができる。
【０１１６】
（第２の応用例）  
本応用例は、例えば、被検体情報、ＭＲ撮像におけるシーケンス、撮像部位、撮像プロトコル、プリセット等の階層に応じた複数の関連図を記憶し、操作者の指示により選択されたプリセットまたは撮像プロトコルに基づいて、複数の関連図から表示対象の関連図を特定し、特定された関連図を撮像条件の編集時にディスプレイに表示することにある。記憶された関連図に表示される複数の撮像パラメータは、被検体情報、ＭＲ撮像におけるシーケンス、撮像部位、撮像プロトコル、プリセットに関する多数の撮像パラメータのうちの一部であり、予めデフォルトとして設定される。なお、関連図において各階層における撮像パラメータは、操作者等によりプリセット可能である。また、関連図において各階層における撮像パラメータは、操作者が所望する任意の階層でセッティング可能である。
【０１１７】
記憶装置２７は、被検体情報、ＭＲ撮像におけるシーケンス、撮像部位、撮像プロトコル、プリセットに応じて予め関連図生成機能３３３により生成された複数の関連図を記憶する。すなわち、複数の関連図各々は、撮像条件の編集前に、被検体ごと、撮像プロトコルごと、撮像部位ごと、シーケンスごと、およびプリセットごとに生成された代表的な関連図である。
【０１１８】
処理装置３３は、決定機能３３５により、操作者の指示により選択されたプリセットまたは撮像プロトコルに基づいて、最尤法などの統計処理により、複数の関連図のうち表示対象の関連図を特定する。なお、処理装置３３は、ＲＩＳ等から本ＭＲＩ装置１に送信された検査情報、被検体情報を用いて関連図を特定してもよい。例えば、処理装置３３は、選択されたプリセットまたは撮像プロトコル、および被検体情報に最も一致する関連図を、撮像条件の編集時に表示させる関連図として特定する。処理装置３３は、特定された関連図をディスプレイに表示する。
【０１１９】
関連図の特定の一例として、撮像対象の被検体Ｐに対してインプラントが実施されていた場合について説明する。処理装置３３は、被検体情報におけるインプラントに関する情報に基づいて、記憶装置２７に記憶された複数の関連図のうち、選択されたプリセットまたは撮像プロトコルに対応し、かつインプラントに関する関連図を特定する。特定された関連図は、例えば、撮像パラメータの値がインプラント用に制約されたレーダーチャートである。本応用例における上記記載は、撮像パラメータを用いた説明であるが、本応用例は、撮像指標に対して実施されてもよいし、撮像パラメータと撮像指標とを混在させて実施されてもよい。
【０１２０】
以上に述べた構成によれば、他の実施形態に記載の効果に加えて以下に示す効果を得ることができる。  
本応用例に係るＭＲＩ装置１によれば、医用撮像における撮像部位とシーケンスと被検体情報と撮像プロトコルとプリセットとに応じて設定された複数の関連図を記憶し、操作者の指示により選択されたプリセットまたは撮像プロトコルに基づいて、複数の関連図から表示対象の関連図を特定し、撮像条件の編集時において、特定された関連図を表示することができる。これにより、本応用例に係るＭＲＩ装置１によれば、医用撮像における撮像部位とシーケンスと被検体情報と撮像プロトコルとプリセットとに応じて予め生成された複数の関連図を準備し、準備された複数の関連図から、操作者によって選択された撮像プロトコルまたはプリセットと、被検体情報とに対応する関連図を特定して表示することができる。本応用例によれば、操作者によって選択された撮像プロトコルまたはプリセットに基づいて、予め生成された代表的な複数の関連図から撮像条件の編集に最適な関連図が特定および表示されるため、撮像条件の編集効率およびＭＲＩ検査のスループットを向上させることができる。
【０１２１】
（第３の応用例）  
本応用例は、関連図として、多面体などの３次元的な多角形を用いることにある。このとき、撮像パラメータおよび撮像指標は、３次元的な多角形の頂点に配置される。ディスプレイに表示された多面体は、入力インタフェース装置２９を介した操作者の指示により、適宜回転される。以下、図１４を用いて、本応用例について説明する。
【０１２２】
図１４は、関連図として四面体を用いた場合の一例を示す図である。図１４における四面体は、図４において撮像パラメータＥを除いたレーダーチャート４００に対応する。図１４に示す四面体における複数の辺は、編集後の４つの撮像パラメータの値同士の関連性に相当する。図１４に示す矢印４０２は、四面体において、撮像パラメータＢの変更量を示している。図１４における矢印４０４は、撮像パラメータＢの値を示すポイントの位置の変化に連動する複数の撮像パラメータのうち、撮像パラメータＡの値を示すポイントの移動を示している。図１４に示すように、撮像パラメータＡ、Ｃ、Ｄの値を示すポイントは、撮像パラメータＢの値を示すポイントの移動に連動して、変更される。図１４に示す４面体における実線は、撮像パラメータＢの値を示すポイントの移動に応答して変更された、撮像パラメータの値同士の関連性を示している。図１４に示すように、ポイントの移動前後における撮像パラメータの値同士の関連性、すなわち複数の撮像パラメータのバランスは、異なる表示態様（例えば、編集前：点線、編集後：実線）で視覚化されてディスプレイに表示される。
【０１２３】
本応用例によれば、関連図に表示される撮像パラメータの増加および撮像指標の増加により、撮像パラメータ間の複数の値同士の関連性および撮像指標間の複数の値同士の関連性の変化を操作者が把握しにくい場合、編集された撮像条件が撮像に与える影響を操作者に直感的に提示することができる。
【０１２４】
（第４の応用例）  
本磁気共鳴イメージング装置１の技術的思想は、Ｘ線コンピュータ断層撮影（ｃｏｍｐｕｔｅｄ  ｔｏｍｏｇｒａｐｈｙ：ＣＴ）装置、Ｘ線診断装置、超音波診断装置、核医学診断装置等の各種モダリティ（医用画像診断装置）で実現可能である。医用画像診断装置は、図１に記載の一点鎖線の枠５０内の各構成要素を有する。
【０１２５】
図１５は、医用画像診断装置の構成の一例を示す図である。図１５に示すように、医用画像診断装置９０は、図１に記載の一点鎖線の枠５０内の各構成要素に加えて、制御装置２５と画像収集装置８０とを有する。例えば、本医用画像診断装置がＸ線ＣＴ装置、または核医学診断装置である場合、画像収集装置８０は、架台に搭載された各種構成要素を有する。また、本医用画像診断装置がＸ線診断装置である場合、画像収集装置８０は、Ｘ線管およびＸ線検出器等を有するＸ線撮像系に対応する。また、本医用画像診断装置が超音波診断装置である場合、画像収集装置８０は、超音波プローブ等を有する超音波撮像系に対応する。
【０１２６】
医用画像診断装置は、上述した画像生成機能３３１、関連図生成機能３３３、決定機能３３５、変更機能３３７に記載の各種処理を、各種モダリティ特有の撮像条件、撮像パラメータ、撮像指標等に従って実行する。以下、医用画像診断装置として、Ｘ線ＣＴ装置を例として説明する。
【０１２７】
Ｘ線ＣＴ装置は、例えば、セグメント再構成を前提にしたヘリカルスキャンにより、被検体Ｐに対する心臓撮影を実行することがある。Ｘ線ＣＴ装置による心臓撮影において、被検体Ｐの心拍情報に応じて適したスキャン速度とヘリカルピッチとを求めることで、最良の時間分解能を得る技術がある。スキャン速度とは、例えば、Ｘ線管とＸ線検出器とを搭載した回転フレームの回転速度に相当する。この技術において、心臓撮影に関する撮像条件に関する撮像パラメータは、スキャン速度とヘリカルピッチである。また、心臓撮影に関する撮像指標としての時間分解能は、スキャン速度とヘリカルピッチとに関連する。撮像条件の編集時において、互いに関連するスキャン速度、ヘリカルピッチ、時間分解能は、レーダーチャート上で連動して変更可能なように、ディスプレイに表示される。
【０１２８】
本応用例における効果は、第１乃至第３の実施形態などと同様なため、説明は省略する。
【０１２９】
以上述べた実施形態、変形例および応用例等の医用画像診断装置によれば、撮像条件の編集時において、編集された撮像条件が撮像に与える影響を操作者に直感的に提示することができる。
【０１３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３１】
１…磁気共鳴イメージング装置、５…寝台、７…天板、９…架台、１１…静磁場磁石、１２…静磁場電源、、１５…傾斜磁場コイル、１６…傾斜磁場電源、１７…ＲＦコイル、１９…送信器、２０…編集画面、２１…受信器、２３…シーケンスコントローラ、２５…制御装置、２７…記憶装置、２９…入力インタフェース装置、３１…表示装置、３３…処理装置、８０…画像収集装置、９０…医用画像診断装置、３３１…画像生成機能、３３３…関連図生成機能、３３５…決定機能、３３７…変更機能。
【図１】
2018038807.tif 000003
【図２】
2018038807.tif 000004
【図３】
2018038807.tif 000005
【図４】
2018038807.tif 000006
【図５】
2018038807.tif 000007
【図６】
2018038807.tif 000008
【図７】
2018038807.tif 000009
【図８】
2018038807.tif 000010
【図９】
2018038807.tif 000011
【図１０】
2018038807.tif 000012
【図１１】
2018038807.tif 000013
【図１２】
2018038807.tif 000014
【図１３】
2018038807.tif 000015
【図１４】
2018038807.tif 000016
【図１５】
2018038807.tif 000017